(57)【要約】【課題】ＡＦエリアがワイドとそれより小さい領域を選択できるディジタルカメラにおいて、マクロモードが選択されたとき自動的にＡＦエリアをワイドにすることによってマクロモード時のＡＦ合焦性を高めることができるディジタルカメラを提供する。【解決手段】ＡＦモード切替ＳＷ４によってマクロモードが選択されると、ＡＦエリア切替ＳＷ３の選択に関係なく、ディジタルカメラはワイド測距エリアに切り替えられる。マクロモード時、画面内に遠近の被写体が混在する確率が低く、スポットエリアに比較しコントラストの高い被写体を捕らえる可能性が高まるので、ＡＦ合焦性が向上する。【選択図】　　　　図１
2004020773.tif 000002
【特許請求の範囲】
【請求項１】
コントラスト方式の焦点調整装置を有するディジタルカメラにおいて、
ワイド測距エリアと、該ワイド測距エリアより小さい測距エリアとを有し、
マクロモードが選択されたとき、前記ワイド測距エリアでコントラスト評価を行ってＡＦを行う制御手段を備えたことを特徴とするディジタルカメラ。
【請求項２】
前記ワイド測距エリアより小さい測距エリアは、スポット測距エリアであることを特徴とする請求項１記載のディジタルカメラ。
【発明の詳細な説明】
【０００１】
【発明の属する技術分野】
本発明は、コントラスト方式の焦点調整装置を有するディジタルカメラ、さらに詳しくいえは、該ディジタルカメラのマクロモード時の測距エリアに関する。
【０００２】
【従来の技術】
ディジタルカメラにおける合焦方式は、レンズ位置を少しずつ移動させコントラストの山を検出することにより合焦位置を検知するタイプのものが主流である。撮影する被写体画像の高周波成分をレンズ移動に対応して取り込み、その曲線の評価値によってコントラストの山を見い出しピント位置を探すものである。
【０００３】
【発明が解決しようとする課題】
このようにＡＦを行う場合のエリアは、スポットＡＦエリアとワイドＡＦエリアを手動で切り換えて選択するものが存在する。
ＡＦエリアをスポットにした場合には、そのスポットエリア内にエッジのある被写体部分を捕らえないと、いずれの位置がピークであるか判断することができない。そこで、測距エリアを拡大すれば、ピーク値を検出しやすくなる。測距エリアを大きくした場合には多数のピーク値を検出する可能性があり、フィルム式のカメラではワイド測距は基本的には多点測距であるので、最も前位置の合焦エリアを選択することにより正確にＡＦを行うことができる。
【０００４】
一方、ディジタルカメラにおけるワイド測距エリアは、そのエリア全体の高周波成分を取り込みピントを検出するため、どの部分にピーク位置があるか判断することができない。
以上のような理由からディジタルカメラにおけるＡＦ方式はコントラスト評価値をとるエリアを狭くすると測距不能になりやすく、逆に測距エリアを広くすると測距不能を回避しやすくなるが、エリア内に距離の異なる被写体像が入り込む確率が高くなり、撮影を希望する被写体に焦点が合わない場合がある。
【０００５】
そこで本件発明は、マクロモードで撮影することを想定した場合、狭いＡＦエリアにしたときには、該エリア内にコントラストの高い被写体が入りにくく測距不能になりやすいこと、およびＡＦエリアのマクロモードでは被写体の一部を拡大して撮影する用途が多く、画面内に遠近の被写体が混在する確率が低いことに着目してなされたものである。
本発明の目的は、ＡＦエリアがワイドとそれより小さい領域を選択できるディジタルカメラにおいて、マクロモードが選択されたとき自動的にＡＦエリアをワイドにすることによってマクロモード時のＡＦ合焦性を高めることができるディジタルカメラを提供することにある。
【０００６】
【課題を解決するための手段】
前記目的を達成するために本発明によるディジタルカメラは、コントラスト方式の焦点調整装置を有するディジタルカメラにおいて、ワイド測距エリアと、該ワイド測距エリアより小さい測距エリアとを有し、マクロモードが選択されたとき、前記ワイド測距エリアでコントラスト評価を行ってＡＦを行う制御手段を備えて構成されている。
上記ワイド測距エリアより小さい測距エリアは、スポット測距エリアを用いるものである。
【０００７】
【発明の実施の形態】
以下、図面を参照して本発明の実施の形態を詳しく説明する。
図１は、本発明によるディジタルカメラの背面外観を示す斜視図である。
ディジタルカメラ１の背面の左寄りに電子ビューファインダ（液晶画面）が配置されている。背面の上部右寄りにはＡＦエリア切替ＳＷ（スイッチ）３とＡＦモード切替ＳＷ４が設けられている。また、上面右寄りにはレリーズボタン５が配置されている。ＡＦモード切替ＳＷ４はＡＦにおいてマクロモードを選択するためのスイッチである。
【０００８】
ＡＦエリア切替ＳＷ３では撮影者の意思によってスポット測距エリアとワイド測距エリアのいずれかを選択することができる。図５（ａ）にスポット測距のときのエリアを、図５（ｂ）にワイド測距のときのエリアの例を示している。
画像は２つの花が拡大された状態であり、図５（ｂ）のようにワイド領域のＡＦを行った場合、コントラストを有する部分を拡大された花の部分の広い範囲内で捕らえることができ、かつ花が拡大されているためワイド測距エリアに遠近のものが含まれる可能性が少ない。
【０００９】
図２は、ＡＦエリアのスポット測距およびワイド測距の配置を説明するための図である。
スポット測距エリア７を中央に有し、その両サイドを拡大したものがワイド測距エリア８である。図２（ａ）に示すようにＡＦエリア切替ＳＷ３で、スポット測距エリア７か、ワイド測距エリア８を選択すると、そのエリアのコントラスト評価値によりＡＦを制御する。しかし、ＡＦモード切替ＳＷ４でマクロモードに選択されている場合には、図２（ｂ）に示すようにワイド測距エリア８となり、そのワイド測距エリアのコントラスト評価値によりＡＦを制御する。
【００１０】
図３は、本発明によるディジタルカメラの回路の実施の形態を示す回路図である。本発明に直接関係する部分のみを示してある。
被写体１１からの反射光は、撮影レンズ２を通してＣＣＤ１３上に結像され、光電変換される。ＣＤＳ回路１４は相関２重サンプリング回路であり、ＣＣＤ１３からの画像信号に対し所定のサンプリング処理を行い、サンプリング処理した画像データをＡＭＰ１５に送る。ＡＭＰ１５で増幅された画像信号は、クランプ回路１６でクランプ処理された後、ＡＤＣ回路１７でアナログ−ディジタル信号変換され、ＳＤＲＡＭ１８に蓄積される。ＳＤＲＡＭ１８に蓄積された画像は画像処理部１９で図示しない電子ビューファインダに表示できる形式に変換するとともに色補間処理，ガンマ補正，画像圧縮，高周波成分抽出などが行われる。画像処理部１９からは、ＣＰＵ２３で制御されたＡＦエリアの高周波成分が送出されフォーカス検出部２０に送られる。
【００１１】
フォーカス検出部２０は、モータ制御されるレンズ位置毎の高周波成分を得て、それらのコントラスト値を評価することにより、ピーク値を検知する動作を行う。フォーカス検出部２０は、評価した結果に対し、モータ駆動のための制御信号をＡＦモータ制御部２１に送出し、ＡＦモータ制御部２１はモータ２２を駆動制御する。撮影レンズ２のフォーカスレンズは駆動され撮影レンズ２は合焦位置にもたらされる。
ＡＦエリア切替スイッチ３を押してスポット測距エリアを選択すると、ＣＰＵ２３はこれを認識し、画像処理部１９においてスポット測距エリアにおける高周波成分を抽出させる。同様にワイド測距エリアを選択すると、ＣＰＵ２３はこれを認識し、画像処理部１９においてワイド測距エリアにおける高周波成分を抽出させる。ＡＦモード切替スイッチ４でマクロモード撮影が選択された場合、ＣＰＵ２３はＡＦエリア切替スイッチ３でスポット測距エリアが選択されている場合でも、画像処理部１９でワイド測距エリアでＡＦ測距するように制御する。
レリーズスイッチ５が押されることにより、測距動作が開始する。
【００１２】
図４は、ＡＦエリア判定動作を説明するためのフローチャートである。
ＣＰＵ２３は、ＡＦエリア判定動作を開始すると、まず、ＡＦエリア切替ＳＷ３がスポット測距エリアに設定されているか否かを判定する（ステップ（以下「Ｓ」という）４０１，Ｓ４０２）。スポット測距エリアに設定されていない場合にはＡＦエリアはワイド測距エリアに設定されていると判定しＡＦエリア判定を終了する（Ｓ４０５，Ｓ４０６）。
【００１３】
ステップ４０２においてスポット測距エリアに設定されている場合にはつぎにＡＦモード切替ＳＷ４がマクロモードに設定されているか否かを判定する（Ｓ４０３）。マクロモードに設定された場合にはＡＦエリアをワイド測距エリアに切り替えるので、ワイド測距エリアと判定し、ＡＦエリア判定を終了する（Ｓ４０６）。マクロモードに設定されていない場合、ＡＦエリアはスポット測距エリアであるので、スポット測距エリアと判定し、ＡＦエリア判定を終了する（Ｓ４０６）。
【００１４】
以上、ディジタルカメラのマクロモードについて説明したが、銀塩フィルム式のカメラの測距エリアについても適用することができる。かかる場合、ワイド測距エリアは多点測距になる。
【００１５】
【発明の効果】
以上、説明したように本発明によれば、ディジタルカメラにおいてマクロモードに設定したとき、ＡＦエリアをワイド測距エリアに自動的に切替えて測距するので、マクロモード時の合焦性が向上するという効果がある。
【図面の簡単な説明】
【図１】本発明によるディジタルカメラの背面外観を示す斜視図である。
【図２】ＡＦエリアのスポット測距およびワイド測距の配置を説明するための図である。
【図３】本発明によるディジタルカメラの回路の実施の形態を示す回路図である。
【図４】ＡＦエリア判定動作を説明するためのフローチャートである。
【図５】液晶画面におけるスポット測距とワイド測距の例を示す図である。
【符号の説明】
１　ディジタルカメラ
２　撮影レンズ
３　ＡＦエリア切替ＳＷ
４　ＡＦモード切替ＳＷ
５　レリーズボタン（レリーズスイッチ）
６　電子ビューファインダ（液晶画面）
７　スポット測距エリア
８　ワイド測距エリア
１１　被写体
１３　ＣＣＤ
１４　ＣＤＳ
１５　ＡＭＰ
１６　ＣＬＡＭＰ
【図１】
2004020773.tif 000003
【図２】
2004020773.tif 000004
【図３】
2004020773.tif 000005
【図４】
2004020773.tif 000006
【図５】
2004020773.tif 000007